(57)【要約】  本発明において、ウェブページの表示方法及び表示システムが開示される。前記方法は、ウェブページのために、時間帯に対応する表示パラメータを保存することと、ウェブページへのアクセス要求を受信した際、現在時刻の属する時間帯に対応する当該ウェブページの表示パラメータを検索することと、見つかった表示パラメータに基づいて当該ウェブページを表示することとを含む。前記システムは、ウェブページのために、時間帯に対応する表示パラメータを保存するために用いられる設定モジュールと、ウェブページへのアクセス要求を受信した際、現在時刻の属する時間帯に対応する当該ウェブページの表示パラメータを検索するために用いられる検索モジュールと、前記検索モジュールが見つかった表示パラメータに基づいて当該ウェブページを表示するために用いられる表示モジュールとを含む。本発明によれば、ユーザの操作利便性が図られ、操作効率が向上する。  【選択図】図１
2015505106.tif 000002
【特許請求の範囲】
【請求項１】
ウェブページ表示方法であって、
ウェブページのために、時間帯に対応する表示パラメータを保存することと、
前記ウェブページへのアクセス要求を受信した際、現在時刻の属する時間帯に対応する前記ウェブページの表示パラメータを検索することと、
見つかった表示パラメータに基づいて前記ウェブページを表示することとを含む、ウェブページ表示方法。
【請求項２】
前記表示パラメータには、ページコンポーネントのロゴ及び表示エリア情報が含まれ、
前記見つかった表示パラメータに基づいて前記ウェブページを表示することには、前記表示パラメータにおけるページコンポーネントのロゴに基づいてページコンポーネントの表示インターフェース情報を取得し、そしてページコンポーネントの表示エリア情報に基づいて前記ウェブページの対応エリアに前記ページコンポーネントの表示インターフェースを表示することが含まれている、請求項１に記載の方法。
【請求項３】
前記表示パラメータには、ページレイアウト情報がさらに含まれ、
前記見つかった表示パラメータに基づいて前記ウェブページを表示することには、前記ページレイアウト情報に基づいて前記ウェブページに対して組版、レイアウトを行うことが含まれる、請求項２に記載の方法。
【請求項４】
前記ウェブページのために、時間帯に対応する表示パラメータを保存することは、
デフォルトの時間帯、及びそれに対応する表示パラメータ設定項目を含む設定インターフェースをユーザに提供することと、
ユーザの設定命令から前記表示パラメータを取得し、前記表示パラメータと対応する時間帯とを関連付けて保存することとを含む、請求項１に記載の方法。
【請求項５】
前記ウェブページのために、時間帯に対応する表示パラメータを保存することは、
時間帯設定項目及びそれに対応する表示パラメータ設定項目を含む設定インターフェースをユーザに提供することと、
前記時間帯設定項目に対するユーザの設定命令に基づいて時間帯を取得することと、
前記時間帯設定項目に対応する表示パラメータ設定項目に対するユーザの設定命令に基づいて、前記時間帯に対応する表示パラメータを取得し、前記表示パラメータと前記時間帯とを関連付けて保存することとを含む、請求項１に記載の方法。
【請求項６】
ユーザの設定命令に基づいて前記時間帯に対応する表示パラメータを取得した後、設定された表示パラメータのうち表示する必要があるそれぞれのページコンポーネントの間に相互排他的なコンフリクトがあるか否かを検査し、相互排他的なコンフリクトがある場合には、前記表示パラメータと前記時間帯とを関連付けて保存するステップを実行せず、相互排他的なコンフリクトがない場合には、前記表示パラメータと前記時間帯とを関連付けて保存するステップを実行することをさらに含む、請求項４又は５に記載の方法。  
【請求項７】
ユーザの設定命令に基づいて前記時間帯に対応する表示パラメータを設定した後、現在のユーザの権限では、前記ユーザが前記表示パラメータを設定することは認められるか否かを検査し、認められる場合には、前記表示パラメータと前記時間帯とを関連付けて保存するステップを実行し、認められない場合には、設定された表示パラメータ及びそれに対応する時間帯を保存することをさらに含む、請求項４又は５に記載の方法。
【請求項８】
前記ウェブページはソーシャルネットワークサービスシステム中のユーザ専用ページである、請求項１〜５のいずれかに記載の方法。
【請求項９】
ウェブページ表示システムであって、
ウェブページのために、時間帯に対応する表示パラメータを保存するために用いられる設定モジュールと、
前記ウェブページへのアクセス要求を受信した際、現在時刻の属する時間帯に対応する前記ウェブページの表示パラメータを検索するために用いられる検索モジュールと、
前記検索モジュールが見つかった表示パラメータに基づいて前記ウェブページを表示するために用いられる表示モジュールとを含む、ウェブページ表示システム。
【請求項１０】
前記表示パラメータには、ページコンポーネントのロゴ及び表示エリア情報が含まれ、
前記表示モジュールは具体的に、表示する必要があるページコンポーネントのロゴに基づいてページコンポーネントの表示インターフェース情報を取得し、そしてページコンポーネントの表示エリア情報に基づいて前記ウェブページの対応エリアに前記ページコンポーネントに対応する表示インターフェースを表示するために用いられる、請求項９に記載の表示システム。
【請求項１１】
前記表示パラメータには、ページレイアウト情報がさらに含まれ、
前記表示モジュールは具体的に、前記ページレイアウト情報に基づいて前記ウェブページに対して組版、レイアウトを行うことと、表示する必要があるページコンポーネントのロゴに基づいてページコンポーネントに対応する表示インターフェース情報を呼び出し、そしてページコンポーネントの表示エリア情報に基づいて前記ウェブページの対応エリアに前記ページコンポーネントに対応する表示インターフェースを表示することとを行うために用いられる、請求項９に記載の表示システム。
【請求項１２】
当該表示システムは、ソーシャルネットワークサービスシステム中に設置され、ソーシャルネットワークサービスシステム中のユーザ専用ページを表示するために用いられる、請求項９に記載の表示システム。
【発明の詳細な説明】
【技術分野】
【０００１】
本発明は、インターネットウェブページのデータ処理技術に関し、特にウェブページの表示方法及び表示システムに関する。
【背景技術】
【０００２】
ソーシャルネットワークサービス（ＳＮＳ，Ｓｏｃｉａｌ  Ｎｅｔｗｏｒｋ  Ｓｅｒｖｉｃｅ）ウェブサイトが盛んになるにつれて、ＳＮＳウェブサイトを使用し始めたユーザが増えてきている。ＳＮＳウェブサイトでは、それぞれのユーザは、ユーザ専用ページ（ｐｅｒｓｏｎａｌｌｙ  ｃｕｓｔｏｍｉｚｅｄ  Ｗｅｂ  ｐｒｅｓｅｎｃｅ、例えばホームページ）とも呼ばれる自分のウェブページを有し、ユーザ本人もその他のユーザも当該ウェブページにアクセスすることができる。当該ウェブページでは、例えば個人情報、最新の動的情報、ログリスト、アルバム、ミニブログ、プレイヤー、個人アプリケーションプログラム（ＡＰＰ）などのような多種多様な機能コンポーネントを表示することができる。異なる機能コンポーネントは、異なるユーザ情報の表示及び／又は処理に用いられる。
【０００３】
機能コンポーネントの種類は多くあり、ユーザは、利用及び交流しやすいように、ニーズに基づいて自分が最もよく使う機能コンポーネントを選択して当該ウェブページに表示することができる。現在のウェブページ表示技術では、ユーザがＳＮＳウェブサイトにおいてそのウェブページの表示パラメータを予め設定し且つ保存することは認められる。表示パラメータには、表示する必要のあるページコンポーネントのロゴ及び表示エリア情報などのパラメータが含まれ、ウェブページのフォーマット情報、ページ色、スタイルなどのパラメータが更に含まれてもよい。当該ユーザのウェブページへのアクセスがあった場合、保存された表示パラメータに基づいて当該ウェブページが表示される。ユーザが表示パラメータを変更し且つ保存すると、ウェブページは新しい表示パラメータに基づいて表示される。
【発明の概要】
【発明が解決しようとする課題】
【０００４】
本発明は上記に鑑みてなされたものであり、その主な目的は、ユーザの操作利便性が図られ、操作効率が向上したウェブページの表示方法及び表示システムを提供することにある。
【課題を解決するための手段】
【０００５】
本発明の技術案は、以下に示すように実現される。
【０００６】
ウェブページ表示方法であって、ウェブページのために、時間帯に対応する表示パラメータを保存することと、前記ウェブページへのアクセス要求を受信した際、現在時刻の属する時間帯に対応する前記ウェブページの表示パラメータを検索することと、
見つかった表示パラメータに基づいて前記ウェブページを表示することとを含む、ウェブページ表示方法。
【０００７】
ウェブページ表示システムであって、ウェブページのために、時間帯に対応する表示パラメータを保存するために用いられる設定モジュールと、前記ウェブページへのアクセス要求を受信した際、現在時刻の属する時間帯に対応する前記ウェブページの表示パラメータを検索するために用いられる検索モジュールと、前記検索モジュールが見つかった表示パラメータに基づいて前記ウェブページを表示するために用いられる表示モジュールとを含む、ウェブページ表示システム。
【発明の効果】
【０００８】
本発明では、ウェブページのために、時間帯に対応する表示パラメータを設定し且つ保存し、前記ウェブページへのアクセス要求を受信した際、現在時刻の属する時間帯に対応する当該ウェブページの表示パラメータを検索し、見つかった表示パラメータに基づいて当該ウェブページを表示するため、ユーザは、各時間帯の表示パラメータをいっぺんに設定しておけば、ユーザ又は他の訪問者が当該ユーザの専用ページにアクセスする際、現在時刻の属する時間帯に基づいて自動的にウェブページを表示することができ、ユーザは再度表示パラメータを設定しなくて済むため、異なる時間帯で異なるページを表示するユーザのニーズが満たされる。
【図面の簡単な説明】
【０００９】
【図１】本発明実施例のウェブページ表示方法のフローチャートである。
【図２】本発明実施例のウェブページ表示方法のフローチャートである。
【図３】本発明実施例のウェブページ表示システムを示す模式的構成図である。
【図４】本発明実施例における、表示パラメータを設定する方法のフローチャートである。
【図５】本発明実施例の表示パラメータ設定インターフェースを示す模式図である。
【図６】本発明実施例の表示パラメータ設定インターフェースを示す模式図である。
【図７】本発明実施例の表示パラメータ設定インターフェースを示す模式図である。
【図８】本発明実施例における、異なる時間帯に対応するウェブページの表示パラメータの記憶構成を示す模式図である。
【図９】本発明実施例のウェブページ表示方法のフローチャートである。
【図１０】本発明実施例のウェブページ表示システムを示す模式的構成図である。
【発明を実施するための形態】
【００１０】
簡潔及び直観的に説明するため、以下、いくつかの代表的な実施例を説明することによって本発明の技術案を説明する。実施例中の大量な詳細は、本発明を理解するためのものにすぎない。本発明の技術案を実現する際、これらの詳細に限定されないことは明らかである。本発明の技術案を無駄にぼやかさないように、一部の実施形態については詳細に説明せず、枠組みのみを示した。以下の記載において、「含む」とは、「限らずに含む」をいう。「……に基づいて」とは、「……に限らずに少なくとも……に基づく」をいう。中国語の言語習慣に基づき、以下の記載において、一つの成分の数量について特に示していなかった場合、当該成分は一つであってもよく複数であってもよく、又は少なくとも一つであると理解できる。
【００１１】
本発明の一実施例の技術案は、ＳＮＳウェブサイトによりユーザに提供された個人ウェブページの表示に適用され、その他実施例の方法は、ユーザが内容及び／又は見た目をカスタマイズできるその他のウェブページの表示にさらに適用できる。以下、図面及び具体的な実施例を参照して、本発明をさらに詳細に説明する。
【００１２】
図１は本発明実施例のウェブページ表示方法を示すフローチャートである。図１に示すよう、本実施例の方法は、主にステップ１０１、ステップ１０２及びステップ１０３を含む。
【００１３】
ステップ１０１では、ウェブページのために、時間帯に対応する表示パラメータを保存する。
【００１４】
ステップ１０２では、ウェブページへのアクセス要求を受信した際、現在時刻が属する時間帯に対応する当該ウェブページの表示パラメータを検索する。
【００１５】
ステップ１０３では、見つかった表示パラメータに基づいて当該ウェブページを表示する。
【００１６】
図２は本発明実施例のウェブページ表示方法を示すフローチャートである。図２に示すよう、本実施例の方法は、主にステップ２０１、ステップ２０２及びステップ２０３を含む。
【００１７】
ステップ２０１では、ウェブページのために、異なる時間帯に対応する表示パラメータを設定し且つ保存する。
【００１８】
表示パラメータは、ユーザ設備を介してユーザによって設定され、ローカルユーザ設備に記憶されてもよく、ネットワークを介してサーバーに送信されて記憶されてもよい。表示パラメータには、その対応時間帯情報が含まれ得る。表示パラメータと時間帯情報との対応関係を作成し且つ記憶してもよい。具体的な実現方法は多くあり、ここでは限定しない。
【００１９】
ステップ２０２では、ウェブページへのアクセス要求を受信した際、現在時刻の属する時間帯に対応する当該ウェブページの表示パラメータを検索する。
【００２０】
ステップ２０３では、見つかった表示パラメータに基づいて当該ウェブページを表示する。
【００２１】
上述した方法のステップのそれぞれは、一つの設備又は一つのモジュールによって行われてもよく、複数の設備又は複数のモジュールによって共同で行われてもよい。例えば、ステップ２０３では、サーバーによって表示パラメータ及びウェブページデータ、又は表示パラメータに基づいて確定されたウェブページデータをクライアントに提供し、クライアントによってウェブページをユーザに表示してもよい。
【００２２】
これに対応して、本発明においてウェブページの表示システムがさらに開示される。図３は本発明実施例のウェブページ表示システムを示す模式的構成図である。図３に示すように、当該表示システムは、設定モジュール３０１、検索モジュール３０２及び表示モジュール３０３を含む。
【００２３】
設定モジュール３０１は、ウェブページのために、異なる時間帯に対応する表示パラメータを設定して保存するために用いられる。
【００２４】
検索モジュール３０２は、ウェブページへのアクセス要求を受信した際、現在時刻の属する時間帯に対応する当該ウェブページの表示パラメータを検索するために用いられる。
【００２５】
表示モジュール３０３は、前記検索モジュール３０２が見つかった表示パラメータに基づいて当該ウェブページを表示するために用いられる。
【００２６】
一実施例の表示システムは、ＳＮＳウェブサイト中に設置でき、前記設定モジュール３０１は、ＳＮＳウェブサイトのフロントエンドページに設置でき、前記検索モジュール３０２及び表示モジュール３０３は、ＳＮＳウェブサイトのバックグラウンドシステム中に設置することができる。一実施例の方法及びシステムは、ユーザによってウェブページの内容及び／又は見た目をカスタマイズすることができるその他のインターネットシステムに適用することもできる。
【００２７】
前記表示パラメータには、表示する必要があるページコンポーネントのロゴ及び表示エリア情報が含まれている。前記表示モジュール３０３は、表示する必要があるページコンポーネントのロゴに基づいてページコンポーネントに対応する表示インターフェース情報（当該表示インターフェース情報は、表示インターフェースを表すためのデータであり、予めＳＮＳウェブサイトに記憶され得る）を呼び出し、そしてページコンポーネントの表示エリア情報に基づいて前記ウェブページの対応エリアに当該ページコンポーネントの表示インターフェースを表示する。ここでは、ページコンポーネントの表示インターフェース情報を呼び出すこととは、予め記憶させた前記ページコンポーネントの表示インターフェース情報を記憶装置から取得することをいう。
【００２８】
前記表示パラメータには、ページレイアウト情報がさらに含まれてもよい。前記表示モジュール３０３は、前記ページレイアウト情報に基づいて前記ウェブページに対する組版、レイアウトを行い、表示する必要があるページコンポーネントのロゴに基づいてページコンポーネントに対応する表示インターフェース情報を呼び出し、そしてページコンポーネントの表示エリア情報に基づいて前記ウェブページの対応エリアに当該ページコンポーネントの表示インターフェースを表示する。
【００２９】
上述したシステムのモジュールのそれぞれは、同一の物理的設備によって実現されてもよく、例えばサーバー、分散型の複数のサーバー、又はクライアントなどのような異なる物理的設備によって実現されてもよい。例えば、設定モジュール３０１及び検索モジュール３０２は、一つ又は複数のサーバーによって実現でき、表示モジュール３０３は、サーバー及びクライアントによって共同で実現することができる。すなわち、サーバーは、見つかった表示パラメータに基づいて、表示されるページコンポーネントを確定してページ内容データを作成し、表示用にページ内容データをクライアントに提供する。又は、表示モジュール３０３はクライアントによって実現でき、すなわちクライアントは、サーバーの検索モジュール３０２から当該ウェブページの表示パラメータを取得し、表示されるページコンポーネントを表示パラメータに基づいて確定すると共に、サーバーからこれらページコンポーネントの内容データを取得し、そしてウェブページを作成してユーザに表示する。ここで示すのは例示に過ぎず、他の実施例ではその他の方法によって実現してもよい。
【００３０】
図４は本発明実施例における、表示パラメータを設定する方法を示すフローチャートである。図４に示すように、当該フローは、ステップ４０１、ステップ４０２、ステップ４０３、ステップ４０４、ステップ４０５、ステップ４０６及びステップ４０７を含む。
【００３１】
ステップ４０１では、ユーザのログイン要求を受信し、当該ユーザの専用ページに入る。具体的なログイン技術については従来の常用技術を参考することができる。当該ユーザの専用ページに入ることとは、ユーザにその専用ウェブページの内容を提供することをいう。
【００３２】
ステップ４０２では、ユーザが「動的外観変化」命令を触発したか否かを判断する。本実施例では、異なる時間帯に対応する表示パラメータを設定する処理を「動的外観変化」と称する。ユーザの専用ページに「動的外観変化」ボタンを設置でき、ユーザが当該ボタンをクリックしたことを検知すると、「動的外観変化」命令を触発したと判定する。
【００３３】
ユーザが「動的外観変化」命令を触発した場合、ステップ４０３を実行する。ユーザが「動的外観変化」命令を触発しなかった場合、本設定段階のフローを終了し、他の操作を実行する。
【００３４】
ステップ４０３では、設定インターフェースを表示し、時間帯に対応する表示パラメータを設定することをユーザにプロンプトする。実施例では、少なくとも二種類の典型的な設定インターフェースを有し得る。
【００３５】
図５は本発明実施例の一つの典型的な表示パラメータ設定インターフェースを示す模式図である。当該設定インターフェースは、指定された数のデフォルトの時間帯、及び対応する表示パラメータ設定項目を含む。異なる時間帯におけるページに対するユーザの操作ニーズが周期性を呈する場合、一実施例では、設定された時間帯が周期性を呈してもよい。例えば図５に示す実施例では、ユーザは一週間内の毎日に対応する表示パラメータを設定でき、前記デフォルトの時間帯は一週間内の毎日であり、合わせて七つの時間帯となる。当該時間帯をユーザが設定する必要はなく、システムが自動的に作成する。他の実施例では、例えば毎日の勤務時間帯と余暇時間帯をデフォルトとして表示するなど、他の周期をデフォルトとすることもでき、ユーザは自身のニーズに基づいて毎日の勤務時間帯と余暇時間帯を修正することができる。また、各時間帯が完全にユーザによって設定されてもよい。図５に示すように、それぞれのデフォルトの時間帯は、一つの表示パラメータ設定項目に対応する。例えば、ユーザがある時間帯に対応する「装飾を選択する」ボタンをクリックしたことを検知すると、当該時間帯に対応する表示パラメータの設定インターフェースを表示する。
【００３６】
図６は、本発明実施例の一つの表示パラメータ設定インターフェースを示す模式図である。図6に示すように、当該表示パラメータの設定インターフェースには、コンポーネント添削オプション６００が含まれており、当該オプションをクリックすると、候補ページコンポーネントのロゴエリア６０１を表示することができる。ロゴエリア６０１には、例えば個人情報コンポーネント、最新の動向コンポーネント、ログリストコンポーネント、アルバムコンポーネント、ミニブログコンポーネント、音楽保存コンポーネント、個人アプリケーションプログラム（ＡＰＰ）コンポーネントなどのページコンポーネントのロゴがそれぞれ表示される。システムは、ユーザの選択命令に基づいて、ウェブページに表示する必要があるページコンポーネントをそのうちからいくつかを選択する。ユーザは、カスタマイズしたページコンポーネントを添加することもできる。選択された、又はカスタマイズされたページコンポーネントの表示インターフェースは、ウェブページのプレビューページ６０２に表示でき、ユーザは、前記プレビューページ６０２中のそれぞれのページコンポーネントの表示インターフェースをドラッグし、ウェブページにおける表示インターフェースの位置及び大きさを調整することができる。ウェブページにおける前記ページコンポーネントの表示インターフェースの位置及び大きさ情報は、ページコンポーネントの表示エリア情報となる。ユーザが「保存」ボタンを触発すると、ユーザが選択した前記ページコンポーネントのロゴ及び表示エリア情報を保存する。
【００３７】
前記表示パラメータの設定インターフェースには、ページレイアウト情報を設定するためのページレイアウト設定オプションがさらに含まれてもよい。例えばこの図６に示すページレイアウト設定オプションには、組版選択６０３及びレイアウト設定６０４が含まれ、前記組版選択６０３を選択すると、ページの組版形式情報を選択でき、前記レイアウト設定６０４を選択すると、組版における様式レイアウト等の情報を調整、設定することができる。ユーザが「保存」ボタンを触発すると、ユーザが前記組版選択６０３及びレイアウト設定６０４において設定したページレイアウト情報を保存することができる。具体的なページレイアウト情報については従来技術を参考でき、本明細書では詳細に説明しない。
【００３８】
もちろん、前記表示パラメータの設定インターフェースには、ページの美学パラメータを設定することで異なるスタイルの美学効果を設定するためのモジュール透明度６０５、スキン（背景）６０６、タイトル欄設定６０７などのオプションがさらに含まれてもよい。もちろん、ウェブページのページナビゲーション機能を設定するためのカスタマイズナビゲーション６０８というオプションが含まれてもよい。これら美学パラメータ及びページナビゲーションの詳細な設定方法については従来技術を参考でき、本明細書では詳細に説明しない。
【００３９】
図５及び図６に示すように、システムは、前記デフォルト時間帯に対応する表示パラメータ設定項目に対するユーザの設定命令に基づいて、それぞれの時間帯に対応する表示パラメータを設定し、例えば、一週間中の毎日の表示パラメータを設定する。異なる時間帯の表示パラメータは同じでも異なってもよく、又は設定しなくてもよい（設定しない場合、当該時間帯はシステムのデフォルト表示パラメータに対応する）。
【００４０】
図７は本発明実施例の表示パラメータ設定インターフェースを示す模式図である。当該設定インターフェースには、時間帯設定項目及び対応する表示パラメータ設定項目を含む。図７に示すように、前記時間帯設定項目７００によれば、ユーザは任意の時間帯を添加することができ、当該時間帯の開始時間及び終了時間を設定することができる。一つの時間帯の開始時間及び終了時間を設定した後、「時間帯を添加する」ボタンをクリックして時間帯を添加することができ、添加された時間帯は下のインターフェースに表示される。同時に、それぞれの時間帯の傍には、例えばここでの「装飾を選択」ボタンのような表示パラメータ設定項目が対応して表示される。ユーザがある時間帯に対応する「装飾を選択」ボタンをクリックしたことを検知すると、当該時間帯に対応する表示パラメータの設定インターフェースが表示され、当該表示パラメータの設定インターフェースは図６示す通りであり、ここでは詳細に説明しない。
【００４１】
ステップ４０４では、ユーザが時間帯及び対応する表示パラメータを設定した後、すなわち、ユーザが図５及び図７中の前記「設定の保存」ボタンをクリックしたことを検知すると、当該ユーザが設定した時間帯及びそれに対応する表示パラメータを送信する。具体的な送信方法として、フロントエンドＷＥＢプログラムにより前記情報をＳＮＳウェブサイトのバックグラウンドのデータサーバーに送信する方法が用いられる。
【００４２】
ステップ４０５では、ユーザが送信した時間帯及びそれに対応する表示パラメータが正当であるか否かを検査し、正当である場合にはステップ４０６を実行し、正当でない場合にはステップ４０７を実行する。
【００４３】
ここでの検査方法は具体的に二種類あり、そのうちの一方又は両方を用いることができる。
【００４４】
一種類目の検査方法において、設定された表示パラメータのうち表示する必要があるそれぞれのページコンポーネントの間に相互排他的なコンフリクトがあるか否かを検査する。相互排他的なコンフリクトがある場合には正当でないと判定し、この場合では設定された表示パラメータ及びそれに対応する時間帯を保存しない。相互排他的なコンフリクトがない場合には正当であると判定し、この場合では設定された表示パラメータ及びそれに対応する時間帯を保存する。
【００４５】
二種類目の検査方法において、現在のユーザの権限では、当該ユーザが設定した表示パラメータを設定することは認められるか否かを検査する。設定することが認められる場合には、正当であると判定し、この場合では設定された表示パラメータ及びそれに対応する時間帯を保存する。設定することが認められない場合には正当でないと判定し、この場合では設定された表示パラメータ及びそれに対応する時間帯を保存しない。
【００４６】
ステップ４０６では、当該ユーザに対応する記憶フォームに、送信された前記時間帯及びそれに対応する表示パラメータを保存すると共に、保存に成功した情報を送り返し、その後本設定フローを終了して他の操作を実行する。
【００４７】
一つの実施例における保存は、当該ユーザに対応する記憶フォームに、当該ユーザが設定した表示パラメータと対応する時間帯とを関連付けて保存する。図８は、本発明における前記ウェブページの異なる時間帯に対応する表示パラメータの記憶構成を示す模式図である。図８に示すように、前記表示パラメータはユーザの基礎公衆データに対応して記憶され、これらページ表示データは当該ユーザに専属する。しかし、各時間帯に対して、当該時間帯に対応する表示パラメータが関連付けて保存され、各時間帯の表示パラメータは並列に記憶される。
【００４８】
ステップ４０７では、送信された情報を保存しないと共に、失敗情報を送り返し、その後、本設定フローを終了し、他の操作を実行する。
【００４９】
図９は本発明実施例のウェブページ表示方法を示すフローチャートである。図９に示すように、当該フローは主に、ステップ９０１、ステップ９０２、ステップ９０３、ステップ９０４、ステップ９０５及びステップ９０６を含む。
【００５０】
ステップ９０１では、あるユーザの専用ページへのアクセス要求を受信する。当該アクセス要求は、当該ユーザや他のユーザによるものであり得る。
【００５１】
ステップ９０２では、アクセスされた専用ページが属するユーザは前記自動的外観変化の権限を有しているか否かを判断し、ある場合にはステップ９０３を実行し、ない場合にはデフォルトの表示パラメータに基づいて当該ウェブページを表示し、本フローを終了して他の操作を実行する。
【００５２】
ステップ９０３では、ユーザがアクセスした現在の時間を取得する。
【００５３】
ステップ９０４では、前記保存された、当該ユーザの表示パラメータに対応する時間帯情報を検索し、現在のアクセス時間は時間帯のうちの一つであるか否かを判断し、現在のアクセス時間は時間帯のうちの一つである場合には、ステップ９０５を実行し、現在のアクセス時間は時間帯のうちの一つであない場合には、デフォルトの表示パラメータに基づいて当該ユーザの専用ページを表示し、本フローを終了して他の操作を実行する。
【００５４】
ステップ９０５では、現在時刻の属する時間帯に対応する当該ウェブページの表示パラメータを検索する。
【００５５】
ステップ９０６では、前記見つかった表示パラメータに基づいて当該ウェブページを表示し、その後本フローを終了し、他の操作を実行する。
【００５６】
そのうち、前記表示パラメータには、表示する必要があるページコンポーネントのロゴ及び表示エリア情報が含まれている。前記ステップ９０６の具体的な方法として、表示する必要があるページコンポーネントのロゴに基づいて、ページコンポーネントに対応する表示インターフェース情報を呼び出し、そしてページコンポーネントの表示エリア情報に基づいて前記ウェブページの対応エリアに、ページコンポーネントに対応する表示インターフェースを表示する方法が用いられる。
【００５７】
前記表示パラメータには、ページレイアウト情報がさらに含まれる。この場合、ステップ９０６の具体的な方法には、前記ページレイアウト情報に基づいて前記ウェブページに対して組版、レイアウトを行うことと、表示する必要があるページコンポーネントのロゴに基づいて、ページコンポーネントに対応する表示インターフェース情報を呼び出し、そしてページコンポーネントの表示エリア情報に基づいて前記ウェブページの対応エリアに、ページコンポーネントに対応する表示インターフェースを表示することとが含まれる。
【００５８】
図１０は本発明実施例のウェブページ表示システムを示す模式的構成図である。図１０に示すように、当該表示システムには、プロセッサ１００４及び記憶装置１００５が含まれる。
【００５９】
そのうち、記憶装置１００５には、設定モジュール１００１、検索モジュール１００２及び表示モジュール１００３が含まれ得る。
【００６０】
設定モジュール１００１は、ウェブページのために、異なる時間帯に対応する表示パラメータを設定して保存するために用いられる。
【００６１】
検索モジュール１００２は、ウェブページへのアクセス要求を受信した際、現在時刻の属する時間帯に対応する当該ウェブページの表示パラメータを検索するために用いられる。
【００６２】
表示モジュール１００３は、前記検索モジュール１００２が見つかった表示パラメータに基づいて当該ウェブページを表示するために用いられる。
【００６３】
前記プロセッサ１００４は、汎用プロセッサ又はその他プログラマブルプロセッサ、マイクロプロセッサなどであり得る。
【００６４】
前記記憶装置１００５は、フロッピーディスク（登録商標）、ハードディスク、光磁気ディスク、光ディスク、磁気テープ、不揮発性メモリーカード及びＲＯＭ。
【００６５】
本発明によれば、ユーザは、各時間帯の表示パラメータをいっぺんに設定しておけば、ユーザ又は他の訪問者が当該ユーザの専用ページにアクセスする際、時間帯に基づいて自動的に対応するウェブページを表示することができ、ユーザは再度表示パラメータを設定しなくて済むため、異なる時間帯で異なるページを表示するユーザのニーズが満たされ、従来技術と比べると操作利便性が図られ、操作効率が向上する。また、ユーザの異なる時間帯における個性的な表示ニーズも満たされる。
【００６６】
同時に、異なる時間帯に前記表示パラメータを再度修正して保存する必要がなく、ヒューマンコンピュータインタラクションの回数が低減されるため、機械側資源の占有が軽減される。
【００６７】
なお、上述した各フロー及び各構成図でおいて、すべてのステップ及びモジュールが必要であるわけではなく、実際の必要に応じてあるステップ又はモジュールを省略してもよい。各ステップの実行順番は固定ではなく、需要に応じて調整してもよい。各モジュールの区分は、使用される機能を説明しやすいように行った区分にすぎず、実際に実現する際には、一つのモジュールは複数のモジュールによって実現されてもよく、複数のモジュールの機能が同一のモジュールによって実現されてもよい。これらモジュールは同一の設備に配置されてもよく、異なる設備に配置されてもよい。また、上記説明において使用された「第一」、「第二」は、異なる対象を区別するためにすぎず、実質上の意義を有さない。
【００６８】
各実施例におけるハードウェアモジュールを機械式又は電子式的に実現することができる。例えば、特定の操作を行うために、一つのハードウェアモジュールには、専用的に設計された永久的な回路又はロジックユニット（例えばＦＰＧＡやＡＳＩＣのような専用プロセッサ）が含まれてもよい。ハードウェアモジュールには、特定の操作を実行するために、ソフトウェアにより仮配置したプログラマブルロジックユニットや回路が含まれてもよい（例えば汎用プロセッサやその他プログラマブルプロセッサ、マイクロプロセッサが含まれる）。ハードウェアモジュールを実現するのに機械式を用いるか、専用の永久的な回路を用いるか、又は仮配置した回路（例えばソフトウェアによる配置）を用いるかは、コスト及び時間を考慮して決定し得る。
【００６９】
本発明は、本明細書上記の超音波システムにおける画像処理方法を機器に実行させるための命令が記憶された機械読み取り可能な記憶媒体をさらに提供する。具体的には、記憶媒体が配置されたシステム又は装置を提供し、当該記憶媒体には、上述した実施例のうちいずれの実施例の機能を実現するソフトウェアプログラムコードが記憶され、当該システム又は装置のコンピュータ（又はＣＰＵ、ＭＰＵ）により、記憶媒体に記憶されたプログラムコードを読み出して実行する。
【００７０】
この場合では、記憶媒体から読み出されたプログラムコード自体は、上述した実施例のうちいずれの実施例の機能を実現できるため、プログラムコード及びプログラムコードを記憶する記憶媒体により本発明の一部が構成される。
【００７１】
プログラムコードの提供に用いられる記憶媒体の実施例として、フロッピーディスク、ハードディスク、光磁気ディスク、光ディスク（例えばＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ）、磁気テープ、不揮発性メモリーカード及びＲＯＭなどがある。選択的に、通信ネットワークを介してサーバーコンピュータからプログラムコードをダウンロードしてもよい。
【００７２】
また、コンピュータが読み出したプログラムコードを実行するのみならず、プログラムコードの命令に基づいて、コンピュータで操作される操作システムなどに一部又は全部の実際の操作を完成させることにより、上述した実施例のうちいずれの実施例の機能を実現できることは明らかである。
【００７３】
また、記憶媒体から読み出したプログラムコードを、コンピュータ内に挿入された拡張ボードに設置された記憶装置に書き込み、又はコンピュータに接続された拡張ユニットに設置された記憶装置に書き込み、その後プログラムコードの命令に基づいて、拡張ボード又は拡張ユニットに設置されたＣＰＵなどに一部又は全部の実際の操作を実行させることで、上述した実施例のうちいずれの実施例の機能を実現できることは理解される。
【００７４】
上述したように、請求の範囲は、以上説明した例のうちの実施形態に限らず、明細書を一体的に考慮し且つ最も広い解釈を与えるべきである。
【図１】
2015505106.tif 000003
【図２】
2015505106.tif 000004
【図３】
2015505106.tif 000005
【図４】
2015505106.tif 000006
【図５】
2015505106.tif 000007
【図６】
2015505106.tif 000008
【図７】
2015505106.tif 000009
【図８】
2015505106.tif 000010
【図９】
2015505106.tif 000011
【図１０】
2015505106.tif 000012
【手続補正書】
【提出日】平成26年7月9日(2014.7.9)
【手続補正１】
【補正対象書類名】明細書
【補正対象項目名】００５１
【補正方法】変更
【補正の内容】
【００５１】
ステップ９０２では、アクセスされた専用ページが属するユーザは前記自動的外観変化の権限を有しているか否かを判断し、ある場合にはステップ９０３を実行し、ない場合にはデフォルトの表示パラメータに基づいて当該ウェブページを表示し、本フローを終了して他の操作９０７を実行する。
【手続補正２】
【補正対象書類名】明細書
【補正対象項目名】００５３
【補正方法】変更
【補正の内容】
【００５３】
ステップ９０４では、前記保存された、当該ユーザの表示パラメータに対応する時間帯情報を検索し、現在のアクセス時間は時間帯のうちの一つであるか否かを判断し、現在のアクセス時間は時間帯のうちの一つである場合には、ステップ９０５を実行し、現在のアクセス時間は時間帯のうちの一つであない場合には、デフォルトの表示パラメータに基づいて当該ユーザの専用ページを表示し、本フローを終了して他の操作９０７を実行する。
【手続補正３】
【補正対象書類名】図面
【補正対象項目名】図９
【補正方法】変更
【補正の内容】
【図９】
2015505106.tif 000013
【国際調査報告】
2015505106.tif 000014
2015505106.tif 000015
2015505106.tif 000016
2015505106.tif 000017